(57)【要約】  発泡材により製造された固定マット本体と、上記本体上に設置され上記本体の厚み方向に沿って上記本体を貫通する１個又は互いに間隔を置いた複数の成形槽とを備え、上記各成形槽の一端には、上記本体の厚み方向に沿って上記本体を貫通してフライ又はベイトのフック部又はブレードを保持するためのカッティングスリットが連結されているフライ又はベイト用の固定マットを提供する。該固定マットは、各種のフライ又はベイトの固定に適し、固定が迅速且つ容易である。
2010528633.tif 000002
【特許請求の範囲】
【請求項１】
フライ又はベイト用の固定マットであって、発泡材により製造された固定マット本体と、上記本体に設けられる１個又は互いに間隔を置いた複数の成形溝とを備え、上記各成形溝の一端には、上記成形溝の縦方向での延在方向に沿って延在するカッティングスリットが連結されており、上記成形溝及び上記カッティングスリットは、上記本体の厚み方向に沿って上記本体を貫通する固定マット。
【請求項２】
請求項１に記載の固定マットにおいて、上記成形溝の他端にも、上記本体の厚み方向に沿って上記本体を貫通するカッティングスリットが設けられている固定マット。
【請求項３】
請求項１に記載の固定マットにおいて、上記各成形溝に対応して設けられる１個又は互いに間隔を置いた複数の付加の成形溝をさらに備え、上記付加の成形溝の一端は１つの中間カッティングスリットによって上記成形溝に連結されているとともに、他端にはもう１つのカッティングスリットが連結されており、上記付加の成形溝及びカッティングスリットは、ともに上記本体の厚み方向に沿って上記本体を貫通する固定マット。
【請求項４】
請求項１に記載の固定マットにおいて、上記成形溝の他端には、フック部を収納するためのフック溝が設けられている固定マット。
【請求項５】
請求項１に記載の固定マットにおいて、上記成形溝の他端又はその近傍には、上記成形溝の縦方向での延在方向と交差する方向に沿って延在し、上記本体の厚み方向に沿って上記本体を貫通する抵抗低減スリットが設けられている固定マット。
【請求項６】
請求項１〜５のいずれか１項に記載の固定マットにおいて、上記成形溝と、それに連結するカッティングスリットとの間には、カッティングスリットに挿入すべきフック部、又はブレード、又は類似部品をガイドするためのガイド部が設けられている固定マット。
【請求項７】
請求項６に記載の固定マットにおいて、上記ガイド部は、Ｖ字状、弧形状又は矩形状である固定マット。
【請求項８】
上記請求項のいずれか１項に記載の固定マットにおいて、上記カッティングスリットと交差してフック部又はブレードをカッティングスリットに挿入する際の抵抗を低減するための抵抗低減スリットをさらに備え、上記抵抗低減スリットは、上記本体の厚み方向に沿って上記本体を貫通する固定マット。
【請求項９】
請求項８に記載の固定マットにおいて、上記抵抗低減スリット及びカッティングスリットは、Ｔ字状、Ｙ字状、十字状又は矢印の形状に組み合わされる固定マット。
【請求項１０】
上記請求項のいずれか１項に記載の固定マットにおいて、複数の成形溝が平行に配列して成形溝組を形成している固定マット。
【請求項１１】
請求項１０に記載の固定マットにおいて、上記本体には、並列設置される成形溝組が複数組設けられている固定マット。
【請求項１２】
上記請求項のいずれか１項に記載の固定マットにおいて、上記成形溝は、ストリップ状、楕円状、柳葉状、菱状、三角状、円状、弧形状又は矩形状になっている固定マット。
【請求項１３】
上記請求項のいずれか１項に記載の固定マットにおいて、上記固定マットの少なくとも一部を、結合装置によって収納ボックスに固定する固定マット。
【請求項１４】
請求項１３に記載の固定マットにおいて、カッティングスリットと成形溝を設けていない上記固定マットの部分のみを、結合装置によって収納ボックスに固定する固定マット。
【請求項１５】
請求項１３又は１４に記載の固定マットにおいて、上記結合装置は、両面テープ又は接着剤である固定マット。
【請求項１６】
フライ又はベイト用の固定マットであって、発泡材により製造された固定マット本体と、上記本体に設けられる１個又は互いに間隔を置いた複数の成形溝とを備え、上記各成形溝の一端には、フライ又はベイトのフック部を収納するためのフック溝が設けられており、上記成形溝及びフック溝は、上記本体の厚み方向に沿って上記本体を貫通する固定マット。
【請求項１７】
請求項１６に記載の固定マットにおいて、各成形溝の他端には、上記成形溝の縦方向での延在方向と交差し、上記本体の厚み方向に沿って上記本体を貫通する抵抗低減スリットがさらに設けられている固定マット。
【請求項１８】
請求項１６又は１７に記載の固定マットにおいて、上記成形溝は、サイズ増大部を備える固定マット。
【請求項１９】
請求項１８に記載の固定マットにおいて、上記サイズ増大部は、弧形状、又は矩形状である固定マット。
【請求項２０】
請求項１６〜１９のいずれか１項に記載の固定マットにおいて、各成形溝のフック溝が互いに連通して共用のフック収納部を構成している固定マット。
【請求項２１】
請求項１６〜１９のいずれか１項に記載の固定マットにおいて、各成形溝と、対応するフック溝との間には仕切り溝がそれぞれ設けられて、上記仕切り溝の横断面面積が対応するフック溝よりも小さい固定マット。
【請求項２２】
請求項１６〜２１のいずれか１項に記載の固定マットにおいて、複数の成形溝が平行に配列して成形溝組を形成している固定マット。
【請求項２３】
請求項２２に記載の固定マットにおいて、上記本体には、並列設置される成形溝組が複数組設けられている固定マット。
【請求項２４】
請求項１６〜２３のいずれか１項に記載の固定マットにおいて、上記固定マットの少なくとも一部を、結合装置によって収納ボックスに固定する固定マット。
【請求項２５】
請求項２４に記載の固定マットにおいて、抵抗低減スリットと成形溝を設けていない上記固定マットの部分のみを、結合装置によって収納ボックスに固定する固定マット。
【請求項２６】
請求項２４又は２５に記載の固定マットにおいて、上記結合装置は、両面テープ又は接着剤である固定マット。
【請求項２７】
フライ又はベイト用の固定マットであって、発泡材により製造された固定マット本体と、上記本体に設けられる１個又は互いに間隔を置いた複数のカッティングスリットと、上記カッティングスリットの一端又はその近傍で交差して延在する抵抗低減スリットとを備え、上記カッティングスリット及び抵抗低減スリットは、上記本体の厚み方向に沿って上記本体を貫通し、上記各カッティングスリットの他端は、フライ又はベイトのフック部又はブレードの挿入を許可するよう開口している固定マット。
【請求項２８】
請求項２７に記載の固定マットにおいて、上記抵抗低減スリット及びカッティングスリットは、Ｔ字状、Ｙ字状、十字状又は矢印の形状に組み合わされる固定マット。
【請求項２９】
請求項２７又は２８に記載の固定マットにおいて、上記各カッティングスリットの他端の開口には、それに連通する成形溝が設けられている固定マット。
【請求項３０】
請求項２９に記載の固定マットにおいて、上記成形溝は、ストリップ状、楕円状、柳葉状、菱状、三角状、円状、弧形状又は矩形状になっている固定マット。
【請求項３１】
請求項２９又は３０に記載の固定マットにおいて、上記成形溝の上記カッティングスリットから離れた他端にも、上記本体の厚み方向に沿って上記本体を貫通するもう１つのカッティングスリット及び対応するもう１つの抵抗低減スリットが設けられている固定マット。
【請求項３２】
請求項２９又は３０に記載の固定マットにおいて、上記抵抗低減ス
リット、カッティングスリット及び成形溝からなるユニットのほかに、上記本体の厚み方向に沿って上記本体を貫通するもう１つのカッティングスリットによって、同一の縦方向での延在方向で、上記ユニットに直列に連結するもう１つの同じユニットをさらに備える固定マット。
【請求項３３】
請求項２９又は３０に記載の固定マットにおいて、上記成形溝の他端には、フック部を収納するためのフック溝が設けられている固定マット。
【請求項３４】
請求項２９又は３０に記載の固定マットにおいて、上記成形溝の他端又はその近傍には、上記成形溝の縦方向での延在方向と交差する方向に沿って延在する抵抗低減スリットが設けられており、上記抵抗低減スリットは、上記本体の厚み方向に沿って上記本体を貫通する固定マット。
【請求項３５】
請求項２９又は３０に記載の固定マットにおいて、上記成形溝と、それに連結するカッティングスリットとの間には、カッティングスリットに挿入すべきフック部又はブレードをガイドするためのガイド部が設けられている固定マット。
【請求項３６】
請求項３３に記載の固定マットにおいて、上記ガイド部は、Ｖ字状又は弧形状又は矩形状である固定マット。
【請求項３７】
請求項２７〜３６のいずれか１項に記載の固定マットにおいて、複数のカッティングスリットが平行に配列してカッティングスリット組を形成している固定マット。
【請求項３８】
請求項３７に記載の固定マットにおいて、上記本体には、並列設置されるカッティングスリット組が複数組設けられている固定マット。
【請求項３９】
請求項２７〜３８のいずれか１項に記載の固定マットにおいて、上記固定マットの少なくとも一部を、結合装置によって収納ボックスに固定する固定マット。
【請求項４０】
請求項３９に記載の固定マットにおいて、カッティングスリットと成形溝を設けていない上記固定マットの部分のみを、結合装置によって収納ボックスに固定する固定マット。
【請求項４１】
請求項３９又は４０に記載の固定マットにおいて、上記結合装置は、両面テープ又は接着剤である固定マット。
【請求項４２】
請求項３１又は３２に記載の固定マットにおいて、上記固定マットの厚みは、５ｍｍより大きい固定マット。
【請求項４３】
フライ又はベイト用の固定マットであって、発泡材により製造された固定マット本体と、上記本体に設けられる１個又は互いに間隔を置いた複数の成形溝とを備え、上記各成形溝の一端には、上記成形溝の縦方向での延在方向と交差する抵抗低減スリットがさらに設けられており、上記成形溝及び抵抗低減スリットは、上記本体の厚み方向に沿って上記本体を貫通する固定マット。
【請求項４４】
請求項４３に記載の固定マットにおいて、上記各成形溝の他端には、上記本体の厚み方向に沿って上記本体を貫通し、フライ又はベイトのフック部を収納するためのフック溝が設けられている固定マット。
【請求項４５】
フライ又はベイト用の固定マットであって、発泡材により製造された固定マット本体と、上記本体に設けられる１個又は互いに間隔を置いた複数の成形溝と、それぞれ各成形溝に連結して延在する対応カッティングスリットとを備え、各カッティングスリットの成形溝から離れた一端又はその近傍には、上記成形溝の縦方向での延在方向と交差する抵抗低減スリットがさらに設けられており、上記成形溝、カッティングスリット及び抵抗低減スリットは、上記本体の厚み方向に沿って上記本体を貫通する固定マット。
【請求項４６】
フライ又はベイト用の固定マットであって、発泡材により製造された固定マット本体と、上記本体に設けられる１個又は互いに間隔を置いた複数の成形溝と、それぞれ各成形溝の一端に連結して延在する対応カッティングスリットと、それぞれ成形溝の他端に設けられ、フック部を収納するための対応フック溝とを備え、各カッティングスリットの成形溝から離れた一端又はその近傍には、上記成形溝の縦方向での延在方向と交差する抵抗低減スリットがさらに設けられており、上記成形溝、カッティングスリット、フック溝及び抵抗低減スリットは、上記本体の厚み方向に沿って上記本体を貫通する固定マット。
【請求項４７】
フライ又はベイト用の固定マットであって、発泡材により製造された固定マット本体と、上記本体に設けられる互いに間隔を置いた複数の成形溝と、それぞれ各成形溝の一端に連結して延在する対応カッティングスリットと、それぞれ各成形溝の他端に設けられる対応フック溝とを備え、各カッティングスリットの成形溝から離れた一端又はその近傍には、上記成形溝の縦方向での延在方向と交差する抵抗低減スリットがさらに設けられており、上記成形溝、カッティングスリット、フック溝及び抵抗低減スリットは、上記本体の厚み方向に沿って上記本体を貫通する該固定マットにおいて、複数の成形溝が平行に配列して形成した成形溝組を複数含み、成形溝の縦方向での延在方向で隣接する２つの成形溝組の成形溝は、向きが反対する固定マット。
【請求項４８】
フライ又はベイト用の固定マットであって、発泡材により製造された固定マット本体と、上記本体に交互に設けられる複数の第１のユニットと第２のユニットを備える固定マットにおいて、上記第１のユニットは、第１の成形溝及びこの第１の成形溝の一端に連結して延在する対応カッティングスリットを備え、上記第２のユニットは、第２の成形溝及びこの第２の成形溝の一端に設けられる対応フック溝を備え、上記第１と第２の成形溝、カッティングスリット及びフック溝は、上記本体の厚み方向に沿って上記本体を貫通する固定マット。
【請求項４９】
上記請求項４８に記載の固定マットにおいて、上記第１のユニットは、カッティングスリットの第１の成形溝から離れた一端又はその近傍に設けられかつ第１の成形溝の縦方向での延在方向と交差する第１の抵抗低減スリットをさらに備え、上記第２のユニットは、第２の成形溝の他端又はその近傍に設けられかつ第２の成形溝の縦方向での延在方向と交差する第２の抵抗低減スリットをさらに備え、上記第１と第２の抵抗低減スリットは、上記本体の厚み方向に沿って上記本体を貫通する固定マット。
【請求項５０】
フライ又はベイト用の固定マットであって、発泡材により製造された固定マット本体と、上記本体に設けられる１つ又は複数のカッティングスリットユニットとを備え、各カッティングスリットユニットは、間隔を置いた直線配列の２つのカッティングスリット、及び各カッティングスリットの一端に設けられる対応成形溝を含み、上記成形溝及びカッティングスリットは、上記本体の厚み方向に沿って上記本体を貫通する固定マット。
【請求項５１】
請求項５０に記載の固定マットにおいて、上記カッティングスリットユニットは、カッティングスリットの成形溝から離れた一端又はその近傍に設けられかつカッティングスリットの延在方向と交差する抵抗低減スリットをさらに備え、上記抵抗低減スリットは、上記本体の厚み方向に沿って上記本体を貫通する固定マット。
【請求項５２】
請求項５０又は５１に記載の固定マットにおいて、上記固定マットの厚みは、５ｍｍより大きい固定マット。
【請求項５３】
ブレードを有するフライ又はベイトを、発泡材により製造された固定マット本体と、上記本体に設けられかつ上記本体を貫通する互いに間隔を置いた複数のカッティングスリットとを備える固定マットに固定する方法であって、
フライ又はベイトのフック部を１つのカッティングスリットに入れるステップ、及び
ブレードを同一のカッティングスリット、又は本体に設けられるもう１つのカッティングスリットに圧入するステップを含む方法。
【請求項５４】
フック先が１個より多いフック部を一端に有するベイトを、請求項１６〜２６のいずれか１項に記載の固定マットに固定する方法であって、
一端のフック部のフック先をフック溝に合わせ、引き入れて固定するステップ、及び
ベイトのボディを成形溝に圧入するステップを含む方法。
【発明の詳細な説明】
【技術分野】
【０００１】
本発明は、フライフィッシング（ｆｌｙ  ｆｉｓｈｉｎｇ）分野に応用されるフライ（ｆｌｉｅｓ）、及びスポーツフィッシング（ｓｐｏｒｔ  ｆｉｓｈｉｎｇ）分野に応用されるベイト（Ｂａｉｔｓ、又はＬｕｒｅｓ）の固定マットに関する。
【背景技術】
【０００２】
フライフィッシングは、欧米などの国で流行しており、フライフィッシングにおいて、フライが釣餌として使用されている。現在市場にあるフライの固定装置としては、米国特許番号ＵＳ６０７９１４８Ａに公開のフライ固定マットが普遍的に採用されている。このフライ用の固定マットは、発泡材によって固定マット本体を作成し、本体上に矩形状の切除区域を設けており、切除されていない区域が切除区域に対して段差区域になり、段差区域には、ガイド溝によって切除区域に連通するカッティングスリットが設けられており、該ガイド溝が一般にはＶ字状で、カッティングスリットの他端が閉鎖されている。
【０００３】
このような固定マットは、以下の欠点を有している。
【０００４】
（１）このようなフライ用の固定マットは、フライを固定する方式が単一であるため、使用において不便が生ずる。このようなフライ用の固定マットを使用してフライを固定する場合は、先ずフライを切除区域に縦置きにしてから、フック先が下に位置しかつＶ字状のガイド溝の尾端に向くようにＶ字状のガイド溝に合わせ、その後にフライをカッティングスリットに押し入れる必要がある。フライのフック先をカッティングスリットの方向に向けてカッティングスリットに引き入れると、フック先がＶ字状のガイド溝の側壁に引っ掛かってしまうことがよくあり、これによって、フライは引き続きカッティングスリットに押し入れられなくなり、固定という目的を達成できず、さらに固定マットを破損してしまう可能性がある。よって、使用者はこのようなフライ固定マットを使用する際、フライをカッティングスリットに押し入れて固定するために、フライのフック先の向きを確認する必要があり、これによって、使用において操作者に大きな不便をもたらしてしまう。また、フライフィッシングの際、外界からの光線が不足する場合もあるため、フライのフック先の向きを確認しにくいことがある。
【０００５】
（２）汎用性が高くないため、アングラーのコストは高くなってしまう。カッティングスリットは非常に微細で、かつフライマット全体はゴム糊によってベースに貼り付けられており、また固定の際、フライは前のＶ字状のガイド溝のカッティングスリットに近いため、フライをカッティングスリットに押し入れる際に受ける抵抗は大きい。よって、固定が面倒であり、かつ時間もかかる。カッティングスリットを大きくすると、小さいサイズのフライはうまく固定されず、カッティングスリットから脱し易い。よって、異なるサイズとタイプのフライは、それに対応するための異なるフライマットが必要であり、例えば、ドライ系及びウェット系のフライは、ドライ系及びウェット系のフライマットが必要で、ストリーマー・フライ（ｓｔｒｅａｍｅｒ  ｆｌｙ）は、ストリーマー系のフライマットが必要で、ソルトウォーター・フライ（ｓａｌｔｗａｔｅｒ  ｆｌｙ）は、ソルトウォーター系のフライマットが必要である。よって、アングラーは、常にこのフライマットも含めて複数種類のフライボックスを携帯する必要がある。これは、場所を占めるだけでなく、さらにアングラーのコストを増加させてしまう。
【０００６】
さらに、チューブフライ（ｔｕｂｅ  ｆｌｙ）は、上記特許のカッティングスリットに挿入して固定することができない。チューブフライは、一般には発泡固定ストリップの脇孔に固定されることになり、これらの孔は、孔径が同じく等距離に配列されている。欠点として、チューブフライの管径が発泡固定ストリップの脇孔の孔径よりも大きい場合に、挿入が困難であり、チューブフライの管径が発泡固定ストリップの脇孔の孔径よりも小さい場合に、挿入し易いものの、固定が難しいということである。チューブフライを、発泡を垂直に貫通して等距離に配列されるストリップ状溝に固定する場合もある。この製品の欠点として、チューブフライの管径が明らかにストリップ状溝より大きい場合に、圧入が困難で、チューブフライの毛が破損し易く、取り出しのときに改めて整理する必要があるということである。チューブフライの管径がストリップ状溝より明らかに小さい場合に、圧入し易いものの、固定の作用を奏することはできない。
【０００７】
また、上記特許又は従来技術の装置で固定できないか、或いは固定が困難なフライ又はベイトも多くある。これらのフライ又はベイトは、大きく分けて３つの種類に分類することができる。１種類目は、１つのフックのみを有するフライ又はベイト（フライ又はベイトボディがフックと一体に連結されているもの）であり、例として、Ｌ字状又はＲ字状のスピナーベイトルアー（ｓｐｉｎｎｅｒ  ｂａｉｔ  ｌｕｒｅ）、バズベイトルアー（ｂｕｚｚ  ｂａｉｔ  ｌｕｒｅ）などが挙げられる。２種類目は、１つのフックのみを有するフライ又はベイト（フライ又はベイトボディがリングによってフックに連結されているもの）であり、例として、フックが１つである魚形ベイト、スプーンフライ（ｓｐｏｏｎ  ｆｌｙ）、スプーンベイトルアー（ｓｐｏｏｎ  ｂａｉｔ  ｌｕｒｅ）などが挙げられる。この種類のフライ又はベイトは、一般には魚形や扁平状のブレード又はベイン（ｖａｎｅ）を有し、かつフライ又はベイトの形状が比較的複雑である。３種類目は、２本フック又は３本フックを１つ又は複数有するフライ又はベイトであり、この種類のフライとベイトのサイズは同一ではなく、形状も異なり、例として、典型的な魚形ベイト、チューブフライ（ｔｕｂｅ  ｆｌｙ）、スプーンベイトルアー、スピナーベイトルアーなどが挙げられる。
【０００８】
１種類目のフライ又はベイトについて、米国特許ＵＳ２００４２５６２６０には、Ｒ字状（Ｌ字状）のスピナーベイトルアーボックスが開示されている。その使い方としては、Ｒ字状（Ｌ字状）のスピナーベイトルアーを片手に持ち、ワイヤストリップ５１とＲ字状のリングを、プラスチックの両凹溝の突起する縁部の中部ストリップ状溝に入れてから、他方の手で金属製スピナーブレードをプラスチック凹溝に入れ、その後にフック５４を発泡締付装置固定ストリップの３１に圧入するようになっている。該技術案の欠点として、ワイヤストリップ５１、Ｒ字状のリング及び金属製スピナーブレードがうまく固定できないことであり、かつ金属製スピナーブレード及びその連結装置の長さが８ｃｍにも達するものは、運送途中において揺れる状態にあるため、Ｒ字状（Ｌ字状）のスピナーベイトルアーの金属製スピナーブレード及びその連結装置は、他のＲ字状（Ｌ字状）のスピナーベイトルアーの金属製スピナーブレード及びその連結装置と衝突して表面を破損し、さらに互いに絡まる可能性がある。互いに衝突することを避けるために、Ｒ字状（Ｌ字状）のスピナーベイトルアーの間の距離を十分とらなければならず、このようにすると、大量の保管場所が無駄にされることになってしまう。明らかに、この技術案も差し支えがある。また、フック５１を発泡締付装置の固定ストリップの３１に圧入するために、ワイヤ自体の弾力（通常約８０度をなす）を克服しなければならないが、弾力が大きいため、フックは発泡締付装置の固定ストリップの３１に圧入されたとしても、反力作用の下で発泡締付装置固定ストリップの３１から弾き出される可能性があり、特に数回使用された後に、この可能性は非常に高くなる。発泡締付装置固定ストリップをきつくすると、フックの圧入は難しくなってしまう。
【０００９】
現在、Ｒ字状（Ｌ字状）のスピナーベイトルアーとバズベイトルアーが射出成形ボックスに収納されるのも、良く見られている。このボックスは少なくとも１列のプラスチック隔壁を有し、隔壁の上部には、１列の等距離間隔の浅凹溝があり、スピナーベイトルアーとバズベイトルアーは凹溝に収納されている。その欠点として、運送途中において揺れる状態にあり、スピナーベイトルアーの金属製スピナーブレード（複合ベイン）及びその連結装置は、他のスピナーベイトルアーの金属製スピナーブレード（複合ベイン）及びその連結装置と衝突して表面を破損し、又は互いに絡まったり、引っ掛かったりする可能性がある。互いに衝突することを避けるために、ベイトの間の距離を十分とらなければならず、このようにすると、大量の保管場所が無駄にされることになってしまう。特に、釣道具のボックスが逆に置かれたり、又は引っくり返されたとき、ベイトが互いに絡まったり、引っ掛かったりして、使用に影響してしまう。また、即時に釣りを行うために、アングラーは異なる釣場、水深、天気、気候及び時間に応じて、異なる釣道具を選択して使用するが、ボックスの底部に収納されるスピナーベイン（ブレード）などの用具部品の形状や色などの特徴は、識別し難いことがある。
【００１０】
２種類目について、上記特許又は従来技術の装置ではまだフライ又はベイトの固定問題を解決することができない。
【００１１】
３種類目のフライ又はベイトについては、米国特許ＵＳ６７８９６６９には、小さいスピナーベイトルアーボックスが開示されている。射出成形ボックスの両端及び中部には、フックを締め付ける装置である発泡固定ストリップが取り付けられており、金属製ブレードは、隔壁２３の間、並びに底部の隔壁２５の上に収納される。使い方としては、３本フックのうちの１つを手に持ち、金属製ブレードを隔壁２３の間、並びに底部の隔壁２５の上に置いて３本フックを回転させ、フック柄をプラスチック凹溝２２に入れてから、３本フックのうちの２つを手で押さえることにより、そのうちの１つのフックを発泡締付装置に圧入して他の２つのフックを上表面に位置させる。その欠点として、３本フックを回転させなければならず、圧入するのが面倒であること、２つのフックが上表面に位置するため、手に傷をつけてしまう可能性があること、ブレードが固定されておらず、運送途中において揺れや衝突の状態にあるため、表面を破損してしまう可能性があること、及び、釣道具のボックスは通常上下蓋を有し、蓋を開けるときに、上蓋に位置する小さいスピナーベイトルアー体及びブレードが固定されていないため、それが落ちて使用に不便をもたらしてしまうことがある。また、該技術は、小型スピナーベイトルアーの固定問題の解決のみに着目し、大型スピナーベイトルアーの固定問題を解決していない。
【００１２】
また、ＣＮ２５０７２５８には、ベイトの収納ボックスが開示され、その中で、ベイトは収納溝３１に収納され、ベイトの２つの３本フックがそれぞれ前ソフトマットと後ソフトマットの係合溝に固定される。ベイトの２つの３本フックのうちの１つが、通常はベイトの腹部又は頚部に位置するため、固定の際にベイトの頭部は、位置決め溝３２とソフトマットの上に位置して、さらにボックス本体を超えてしまい、これによって、ボックスの蓋が閉められない可能性がある。かつ、２つのフックは前ソフトマットと後ソフトマットの表面に位置するため、手に傷を付け易い。また、フックを手に持って固定する必要があるため、不便かつ不安全である。さらに、ベイトのもう１つの３本フックの収納も問題になり、それがベイトの魚尾部に位置せずやや前に位置すれば、ベイトは完全に収納溝に収納されることができない。該技術案は、固定の目的を達するができない。
【００１３】
これらのフライ又はベイトについて、簡単な隔壁で隔てる方法もあるが、実際に確実に固定されないため、携帯の際に衝突して破損する可能性があり、かつ取出しと収納の際に、使用者に傷を付け易い。
【００１４】
また、２００５年度欧州釣具貿易展（ＥＦＴＴＥＸ  ２００５  ｓｈｏｗ  ｉｎ  Ｗａｒｓａｗ）賞のベスト釣具アクセサリを受賞したフックの保護のみに用いられる発泡保護マット（Ｔｈｅ  Ｈａｐｐｙ  Ｈｏｏｋ  Ｐｒｏｔｅｃｔｏｒ）があり、それは扁円状で、中心にはフック柄を挿入するための溝があり、マットを下へ押さえてフック先をマットに挿入することによって、保護の作用を奏するものである。該製品の欠点として、フックが小さくかつフック柄が短い場合、マットの厚みが薄いため、フックはマットから突出し易く、使用者に傷をつけてしまうこと、及び固定が困難で、保護ストリップの固定と取外しが不便であることがあり、かつベイト本体の固定問題を解決することができない。
【発明の概要】
【発明が解決しようとする課題】
【００１５】
本発明は、構造が簡単、固定が迅速、使用が便利で汎用できる固定マットを提供することを目的とし、この固定マットは、フライフィッシングにおけるフライの固定に用いられるだけでなく、スポーツフィッシングにおけるベイトの固定にも同様に適する。
【課題を解決するための手段】
【００１６】
上記目的を達成するために、本発明は、発泡材により製造された固定マット本体と、上記本体に設置され、上記本体の厚み方向に沿って上記本体を貫通し１個又は互いに間隔を置いた複数の成形溝とを備え、上記各成形溝の一端には、上記本体の厚み方向に沿って上記本体を貫通してフライ又はベイトのフック部、ブレード又は類似部品を保持するためのカッティングスリットが連結されているフライ又はベイト用の固定マットを提供する。
【００１７】
上記成形溝の他端にも、上記本体の厚み方向に沿って上記本体を貫通するカッティングスリットが設けられて良い。
【００１８】
上記固定マットは、各成形溝に対応して設けられる１個又は互いに間隔を置いた複数の付加の成形溝をさらに備えて良く、上記付加の成形溝の一端は１つの中間カッティングスリットによって上記成形溝に連結すると共に、他端にはもう１つのカッティングスリットが連結されており、上記付加の成形溝及びカッティングスリットがともに上記本体の厚み方向に沿って上記本体を貫通する。
【００１９】
上記成形溝の他端には、フック部を収納するためのフック溝が設けられて良い。
【００２０】
上記成形溝の他端又はその近傍には、上記成形溝の縦方向での延在方向と交差する方向に沿って延在する抵抗低減スリットが設けられて良く、上記抵抗低減スリットは、上記本体の厚み方向に沿って上記本体を貫通する。
【００２１】
成形溝と、それに連結するカッティングスリットとの間に、カッティングスリットに挿入すべきフック部、ブレード又は類似部品をガイドするためのガイド部が設けられて良い。
【００２２】
ガイド部は、Ｖ字状、弧形状又は矩形状であって良い。
【００２３】
上記固定マットは、上記カッティングスリットと交差して、フック部又はブレードをカッティングスリットに挿入する際の抵抗を低減するための抵抗低減スリットをさらに備えて良く、上記抵抗低減スリットは、上記本体の厚み方向に沿って上記本体を貫通する。抵抗低減スリット及びカッティングスリットは、Ｔ字状、Ｙ字状、十字状又は矢印の形状に組み合わされて良い。
【００２４】
複数の成形溝は平行に配列して、成形溝組を形成する。本体には、並列設置される成形溝組が複数組設けられている。成形溝は、ストリップ状、楕円状、柳葉状、菱状、円状、三角状、又は矩形状であって良い。
【００２５】
上記固定マットの少なくとも一部を、結合装置によって収納ボックスに固定して良い。カッティングスリットと成形溝を設けていない上記固定マットの部分のみを、結合装置によって収納ボックスに固定して良い。結合装置は、両面テープ又は接着剤であって良い。
【００２６】
上記目的を達成するために、本発明は、発泡材により製造された固定マット本体と、上記本体に設けられる１個又は互いに間隔を置いた複数の成形溝とを備え、上記各成形溝の一端には、フライ又はベイトの一端に位置するフック部を収納するためのフック溝が設けられており、上記成形溝及びフック溝は、上記本体の厚み方向に沿って上記本体を貫通するフライ又はベイト用の固定マットをさらに提供する。また、フック先が１個より多いフック部を一端に有するベイトを上記固定マットに固定する方法を提供し、該方法は、一端のフック部のフック先をフック溝に合わせ、引き入れて固定するステップ、及びベイトのボディを成形溝に圧入するステップを含む。
【００２７】
各成形溝の他端には、上記成形溝の縦方向での延在方向と交差する抵抗低減スリットがさらに設けられており、上記抵抗低減スリットは、上記本体の厚み方向に沿って上記本体を貫通する。
【００２８】
成形溝は、フライ又はベイトのフック部又は他の１つのフック部を収納するためのサイズ増大部を備えてよい。上記サイズ増大部は、弧形状、又は矩形状であって良く、他の適当な形状であっても良い。
【００２９】
各成形溝のフック溝は、互いに連通して共用のフック収納部を構成して良い。
【００３０】
各成形溝と、対応するフック溝との間には仕切り溝がそれぞれ設けられて、上記仕切り溝の横断面面積が対応するフック溝よりも小さくても良い。
【００３１】
上記目的を達成するために、本発明は、発泡材により製造された固定マット本体と、上記本体に設けられる１個又は互いに間隔を置いた複数のカッティングスリットと、上記カッティングスリットの一端又はその近傍で交差して延在する抵抗低減スリットとを備え、上記カッティングスリット及び抵抗低減スリットは、上記本体の厚み方向に沿って上記本体を貫通し、上記各カッティングスリットの他端は、フライ又はベイトのフック部又はブレード又は類似部品の挿入を許可するように開口するフライ又はベイト用の固定マットを提供する。
【００３２】
上記目的を達成するために、本発明は、さらにブレードを有するフライ又はベイトを固定マットに固定する方法を提供し、上記固定マットは、発泡材により製造された固定マット本体と、上記本体に設けられて上記本体を貫通し、互い間隔を置いた複数のカッティングスリットとを備え、該方法は、一端のフック部のフック先をフック溝に合わせ、引き入れて固定するステップ、及びベイトのボディを成形溝に圧入するステップを含む。
【発明の効果】
【００３３】
本発明の有益な効果として、以下を含む。
【００３４】
（１）本発明によれば、各種のフライ及びベイトの固定問題を解決することができる。本発明では、抵抗低減スリット、カッティングスリット、成形溝、フック溝などを設けることにより、全ての種類の１本フック、２本フック、３本フック、及び多本フックが２つ付いたフライとベイトの固定問題を解決することができ、固定種類が単一であるという従来技術に存在する問題を克服した。具体的には、抵抗低減スリット、カッティングスリット、成形溝などを設けることにより、各種の１本フックのフライとベイト及びチューブフライの固定問題を解決することができる。抵抗低減スリット、カッティングスリット、成形溝、フック溝などを設けることにより、例えば、スピナーベイトルアーのような各種の２本フック、３本フック、及び多本フックが２つ付いたフライとベイトの固定問題を解決することができる。該技術案は、本分野において長期にわたって解決できなかった難題を解決することができる。
【００３５】
（２）汎用性が高く、アングラーのコストを節約することができる。本発明による固定マットは、各種の形状、サイズ及びタイプのフライ又はベイトに適用することができ、異なる規格のフライ及びベイトは、いずれも円滑に押す、引く又は上から下へ圧入することによってカッティングスリットに固定し、或いは本体の下からフライ及びベイトを引き入れて固定することができる。よって、本発明は、１枚のフライ又はベイト用の固定マットだけでフライ及びベイトを固定することができ、これによって「一物多用」を実現した。このようにして、場所だけでなく、さらにアングラーの消費コストも節約することができる。特に、フライフィッシングとスポーツフィッシングの両方が好きな人にとっては、より大きな利便性と実益が得られる。本発明によれば、異なる種類のフライに応じて異なる固定マットが必要で、汎用性が低くコストが高いという従来技術に存在する問題を解決することができる。
【００３６】
（３）固定が迅速且つ容易であり、確実に固定ができる。成形溝の予め位置決めおよび加速作用により、フライ又はベイトのフック部又はブレードは、円滑にカッティングスリットにスライドできるようになる。適当な位置にカッティングスリットを設けることにより、ブレードはカッティングスリットに挿入され易く、これによって、形状や構造が異なる各種のフライ又はベイトをしっかりと固定することができる。例えば、Ｌ字状のスピナーベイトルアーなどである。カッティングスリットの両端が閉鎖しているため、フックは固定マットから弾き出されることがない。抵抗低減スリットとカッティングスリットの組合せにより、固定力が確保されると同時に、カッティングスリットに挿入する際の抵抗を低減することもできる。本発明によれば、ブレードが固定できず、Ｒ字状（Ｌ字状）のスピナーベイトルアーのフックが発泡ストリップから弾き出されるといった従来技術に存在する問題を解決することができる。
【００３７】
（４）成形溝を設けることにより、チューブフライ、ベイトボディ、ブレードは収納又は固定できるようになる。本発明によれば、チューブフライがしっかりと固定できず、ベイトボディ、ブレードが収納又は固定できないといった従来技術に存在する問題を解決することができる。
【００３８】
（５）複数のフック先が付いたフック部を収納するためのフック溝を設けることにより、３本フックのフック先は固定マットの表面から露出せず、フック先が複数付いたフライ又はベイトをしっかりと固定することはできる。例えば、チューブフライ、２本フライ、３本フライ、複数のフックが付いたスプーンベイトルアー、スピナーベイトルアー又は通常ベイトなどである。よって、３本フックのうちの２つのフックが固定マットの表面から露出して手に傷を付け易いといった従来技術に存在する問題を解決するができる。
【００３９】
（６）成形溝のサイズ増大部を設けることにより、通常ベイトの頸部又は腹部における２本フック又は３本フックが収納できるようになって、本分野において長期にわたって解決できなかった難題を解決することができる。
【００４０】
（７）成形溝の縦方向のカッティングスリットと抵抗低減スリットを設けることにより、形状やサイズが異なるベイトをいずれも円滑で迅速にしっかりと固定できるようになる。
【００４１】
（８）複数の方法によって、フライ又はベイトを固定することができる。よって、使用者は、フライ又はベイトのフック先の向きを識別する必要がなく、異なる方法でフライ又はベイトを速やかに固定することができる。本発明によれば、固定方法が単一であるといった従来技術に存在する問題を克服することできる。
【００４２】
（９）本発明の固定マットによって固定されるフライ又はベイトの特徴は、外部から識別し易いため、使用者による取出しや使用が便利である。本発明によれば、Ｌ字状のスピナーベイトルアー、Ｌ字状のスピーナフライのブレードがボックスの底部に位置することにより取出しが不便であるといった従来技術に存在する問題を解決することができる。
【００４３】
添付の概略図を参照すれば、本発明の目的、方案及び長所をより良く理解することができる。
【図面の簡単な説明】
【００４４】
【図１】１つの実施例のフライやベイト用の固定マットを示す斜視図である。
【図２】図１に示される固定マットのＡ−Ａ線断面図である。
【図３】フライの概略図である。
【図４】ベイトの概略図である。
【図５】図１に示される固定マットにフックを固定する方法を示す概略図である。
【図６】図５の部分Ｉの拡大図である。
【図７】図１に示される固定マットにフックを固定するもう１つの方法を示す概略図である。
【図８】もう１つの実施例の固定マットの一部を示す概略平面図である。
【図９】もう１つの実施例の固定マットの一部を示す概略平面図である。
【図１０】図９に示される固定マットでＬ字状のスピナーベイトルアーの固定を示す立体概略図である。
【図１１】もう１つの実施例の固定マットの一部を示す概略図である。
【図１２】図１１に示される固定マットで通常ベイトを固定することを示す概略平面図である。
【図１３】もう１つの実施例の固定マットの概略図である。
【図１４】もう１つの実施例の固定マットの概略図である。
【図１５】もう１つの実施例の固定マットの概略図である。
【発明を実施するための形態】
【００４５】
先ず、図１〜７を参照して、本発明の１つの実施例によるフライ又はベイト用の固定マット１００を説明する。該固定マット１００は、発泡ポリエチレンにより製造された薄い長方体の固定マット本体１を備える。本体１には、独立の成形溝２が複数設けられ、これらの成形溝２は間隔を置いて本体１に並列設置されている。成形溝１は本体１の上下表面を垂直に貫通し、このようにして、操作者はフライ７又はベイト８を成形溝２に入れるだけで、フライ７又はベイト８を非常に便利に位置決めすることができ、これによって、フライを目視しながら位置合わせする必要がなく、操作を便利にすることができる。特に、光線が足りない環境で、その作用は一層明らかなものである。図に示される成形溝２はストリップ状であるが、その形状として、楕円状、柳葉状、菱状、円状、又は三角状であっても良い。
【００４６】
各成形溝２の一端には、本体１の上下表面を垂直に貫通して、フライ又はベイトのフック部又はブレード又はブレードと類似する他の部品を保持するためのカッティングスリット４が連結されている。本体１が一定の弾性を有するため、カッティングスリットにフック部又はブレードを挿入する際、カッティングスリットが押圧されると自然に両側へ開くことにより、各種のサイズのフライ又はベイトを保持することができる。フック先をカッティングスリット４に向けて差し入れる（引き入れる）とき、又はフック先をカッティングスリットと反対方向に押し入れるときに、縦方向での延在方向に沿って一定の長さを有する成形溝２が差し入れる過程又は押し入れる過程に対して、ガイド及び加速の作用を果たすことにより、フライ又はベイトのフック部は、円滑にカッティングスリット４に入られるようになる。
【００４７】
成形溝２と、それに連結するカッティングスリット４との間には、カッティングスリット４に挿入すべきフック部又はブレードをガイドするためのガイド部３がさらに設けられて良い。図に示されるガイド部３はＶ字状であるが、弧形状又は他の適当な形状であっても良い。フック部又はブレードを横断面面積が通常大きな成形溝２から、横断面面積が通常小さなカッティングスリット４に円滑に入れられる（圧入される）ように、該ガイド部３はフック部又はブレードの加速距離をより長くし、かつガイドの作用を果たすことができる。
【００４８】
挿入するフライのサイズが大きい、或いはブレード又はブレードと類似する部品が大きいときに、カッティングスリット４がフライ又はブレードに与える抵抗が大きいため、挿入は困難になってしまう。このため、カッティングスリット４の成形溝２から離れた一端又はその近傍に、上記本体の厚み方向に沿って本体１を貫通する抵抗低減スリット４１を設けて良く、該抵抗低減スリット４１もカッティングスリット４と交差する。このようにして、抵抗低減スリット４１がカッティングスリット４の開きに寄与するため、サイズの大きいフライ又はベイトは、簡単にカッティングスリット４に挿入して固定できるようになり、同時に本体１の弾性によって、サイズの小さいフライ又はベイトも、弛緩と脱落のないように確保される。図に示される抵抗低減スリット４１は、カッティングスリット４の端部でカッティングスリット４と垂直に交差する直線状のもので、カッティングスリット４と組み合わせて「Ｔ」字状を形成している。当然、抵抗低減スリット４１の形状は、これに限られず、カッティングスリット４と組み合わせて「Ｙ」字状、矢印の形状、又は十字状を形成しても良い。
【００４９】
複数の成形溝２を平行に配列して成形溝組６を組合わせて良く、かつ本体１には、並列設置される成形溝組６が複数組設けられて良い。図に示される成形溝組６の各成形溝２は同じく、かつ等距離間隔である。しかし、本発明はこれに限られず、固定すべきフライ又はベイトの形状に適するように、異なる形状やサイズの成形溝２を異なる間隔で組み合わせて成形溝組６を形成して良い。この点は、以下の各実施例及び変形例にも適用する。
【００５０】
また、隣り合う成形溝組６の成形溝は、反対向きに設置されて良い（例えば、後述の図１４に示されるように）。このように設置した成形溝組は、特にＬ字状のスピナーベイトルアーの固定に適し、その理由として、通常はＬ字状（Ｒ字状）のスピナーベイトルアー（ｓｐｉｎｎｅｒ  ｂａｉｔ  ｌｕｒｅ）は、距離が遠くかつ互いに一定の角度をなす２つの部分を有し、そのうち１つの部分がブレードを有してもう１つの部分がフック部を有しているからである。このようにして、固定する際、フック部を１つの成形溝組６のカッティングスリットに挿入、または押し入れて、ブレードを隣のもう１つの成形溝６のカッティングスリットに挿入、押し入れ、又は圧入することができる。これによって、Ｌ字状のスピナーベイトルアーをしっかりと固定することができる。
【００５１】
図２に示されるように、結合装置５によって固定マットを収納ボックス又はパネルに固定する。交換し易いように、該結合装置５は、好ましくは取外し可能なものであり、例えば、両面テープ又は接着剤などである。図に示されるように、結合装置５は、好ましくは成形溝２とカッティングスリット４を設けていない本体１の裏面及び四周のみに設けられ、このようにすると、フック部又はブレードを挿入する際、結合装置５による抵抗を受けることがなく、かつフック先が本体１の下方に位置することにより、フライ又はベイトの固定し易くすることができる。この点は、以下の各実施例及び変形例にも適用する。
【００５２】
図５〜６に示されるように、上記構造の固定マットによってフライ又はベイトを固定する方法は、複数種がある。
【００５３】
方法１（図５の９に示されるように）：使用者は、フライ又はベイトを手に持ち、フック先が下方に位置しかつ成形溝２のカッティングスリット４から離れた一端に向くように成形溝２に入れ、その勢いでフライ又はベイトをカッティングスリット４に押し入れれば、固定することができる。成形溝２の加速作用及び抵抗低減スリット４１の抵抗低減作用により、従来技術より速いスピードでフライ又はベイトを挿入することができる。
【００５４】
方法２（図５の１０に示されるように）：使用者は、フライ又はベイトを手に持ち、フック先が下方に位置しかつカッティングスリット４の方向に向くように成形溝２に入れ、その勢いでフライ又はベイトをカッティングスリット４に引き入れれば、固定することができる。
【００５５】
方法３（図７の１２に示されるように）：使用者は、フック先が下方に位置しかつ成形溝２のカッティングスリット４から離れた一端に向くようにフライ又はベイトを手に持ち、成形溝２とカッティングスリット４とが連結する箇所の上方にフック部の折曲部分を置き、その勢いでフライ又はベイトをカッティングスリットに圧入すれば、固定することができる。
【００５６】
方法４（図５、６の１１に示されるように）：使用者は、フック先が下方に位置しかつカッティングスリット４の方向に向くようにフライ又はベイトを手に持ち、フック先を固定マット本体の下方に位置させるように成形溝２に入れ、その勢いでフライ又はベイトをカッティングスリットに引き入れれば、固定することができる。或いは、引き入れなくても固定することができる。
【００５７】
よって、使用者は、フライ又はベイトのフック先の向きを識別する必要がなく、異なる方法でフライ又はベイトを迅速に固定することができる。よって、固定は速やかで、容易かつ便利である。上記方法２又は４によってフック部をカッティングスリット４に引き入れるときに、独立の成形溝２が設けられていることにより、フック先は、引き入れられる前に大体位置が決められるため、側壁に引っ掛かって破損してしまうこと、及び固定過程を邪魔することがない。
【００５８】
上記実施例において、互いに間隔を置いた複数の独立の成形溝２、及びそれに連結するカッティングスリット４を設けることにより、フライ又はベイトのフック部、ブレード又はブレードと類似する部品の挿入はより容易で迅速であり、かつ各種の通常形状のフライ又はベイトに対して確かな固定をすることができ、柔軟で確実な固定を提供し、汎用性を向上させ、使用コストを低減した。同時に、使用者は、固定マットに対するフック部の配向及び位置を考慮せずに複数の方式でフック部をカッティングスリット４に挿入することができ、これによって、使用は非常に便利になり、特に光線が足りない状況では一層に明らかである。
【００５９】
挿入し易いように、成形溝２の形状は、カッティングスリット４の縦方向での延在方向におけるサイズが、該縦方向での延在方向と横に交差する方向におけるサイズよりも大きく形成されるのが好ましい。
【００６０】
上記実施例は、１つのフックのみを有する各種のフライ又はベイト、及び１つのフックとブレードを有する各種のフライ又はベイトに適する。以下、図８〜９を参照して、各種の特別な形状のフライ又はベイトに適応するための上記実施例の各種の変形例を説明する。
【００６１】
図８に示される変形のように、成形溝２の両端には、本体１の厚み方向に沿って貫通する２つのカッティングスリット４及び対応する抵抗低減スリット４１がそれぞれ設けられている。このように設置した固定マットでは、そのうちの１つのカッティングスリット４に１本フックのフライ又はベイトのフック部を挿入して、フライ又はベイトの異なる箇所に位置する可能性のあるブレード又は類似部品、ワイヤストリップなどを実際の状況に応じてもう１つのカッティングスリット４に挿入することができる。例えば、上記変形例の固定マットによってＬ字状のスピナーフライ又はスピナーベイトルアー、スプーンフライ又はスプーンベイトルアーなどを固定する際、その一端の１本フックを成形溝２に合わせて１つのカッティングスリット４に押し入れた後、ブレード又は類似部品を成形溝２に合わせてもう１つのカッティングスリット４に挿入、又は押し入れて固定することができる。状況に応じて、成形溝に入れたＬ字状のスピナーフライ又はスピナーベイトルアーのワイヤの一端も、カッティングスリットに引き入れて固定することもできる。
【００６２】
図９に示されるもう１つの変形例のように、１のカッティングスリット４によって連結される２つの直列配置の成形溝２が設けられており、かつ２つの成形溝２の先端には、本体１の厚み方向に沿って貫通する２つのカッティングスリット４及び対応する抵抗低減スリット４１がそれぞれ設けられている。このように設置する固定マットでは、類似的に１本フックのフライ又はベイトのフック部をそのうちの１つのカッティングスリット４に挿入して、フライ又はベイトの異なる箇所に位置する可能性のあるブレード、ワイヤストリップ又はリングなどを実際の状況に応じてもう１つのカッティングスリット４に挿入することができる。簡略化のために、上記２種の変形例は、成形溝２とカッティングスリット４との間に設けられているガイド部３を示していない。例えば、図１０に示されるように、上記変形例の固定マットによってＬ字状のスピナーベイトルアー２０を固定する場合、その一端の１本フック２０３を成形溝２に合わせて１つのカッティングスリット４に押し入れた後、ブレード２０１又は類似部品をもう１つの成形溝２に合わせて挿入する、又はもう１つのカッティングスリット４に押し入れて固定することができる。状況に応じて、成形溝に入れたＬ字状のスピナーベイトルアーのワイヤの一端も、カッティングスリットに引き入れて固定することができる。図示は、引き入れていない場合である。図１０に示されるＬ字状のスピナーベイトルアー２０は、２つのブレード２０１、２０２を備え、この場合、ブレード２０２をもう１つの成形溝２に合わせて挿入する、又は中間のカッティングスリット４に押し入れて固定することができる。図８と９は同様にカッティングスリットの両端点が閉鎖状態であるため、１本フックは固定マットから弾き出されることがない。当然、特定の形状やサイズのフライ又はベイトに適するために、３つ以上の成形溝２を有する実施例を考えても良い。
【００６３】
同様に、ブレードが大きいバズベイトルアーを固定する場合、１本フックを上記方法で固定した後、ブレードを直接に成形溝２に挿入して固定することもできる。なお、図８と９に示される固定マットによってＬ字状のスピナーベイトルアーを固定する場合、固定マットの厚みは少なくとも５ｍｍより大きく、フック部、ブレード又は類似アクセサリを固定するに足りるものでなければならない。
【００６４】
スプーンフライ又はスプーンベイトルアーについて、その１本フックを成形溝２に合わせて１つのカッティングスリット４に押し入れてから、１つのブレード又は類似部品を２つの成形溝２の間のカッティングスリット４に固定することができる。ＪＩＧのようなフライ又はベイトは、Ｌ字状のスピナーフライ又はスピナーベイトルアーと同様に１つの１本フックを有し、かつ頭部には、ブレードに連結するための連結装置を有する。その固定方法は、Ｌ字状のスピナーフライ又はスピナーベイトルアーと似ている。図８と９に示される固定マットは、図１に示される固定マットと同様に異なる種類のフライ又はベイトを容易に固定することができる。図に示される成形溝２は柳葉状であるが、その形状として、ストリップ状、楕円状、菱状、円状又は三角状、矩形状などであっても良い。
【００６５】
図８と９に示されるように、成形溝にはガイド部が設けられて良く、ガイド部の形状として、Ｖ字状、弧形状、矩形状であって良い。矩形状のガイド部は、ブレード又は類似アクセサリ及びフライやベイトのフック部がガイド部とカッティングスリットとを連結する箇所の上端から円滑にカッティングスリットに圧入されるように設置されている。ブレード又は類似アクセサリを成形溝に入れて矩形状端部のカッティングスリットへ圧す、又は推し、成形溝の予め位置決めの作用があるため、容易に固定を行うことができる。フライやベイトの固定方法は、上記方法３の通りである。
【００６６】
図８と９の設置構造は簡単、便利で実用的なものであり、運送途中で製品が揺れて破損し、ブレードが固定できないなどの従来技術に存在する問題を解決することができ、固定した製品を一目瞭然にし、アングラーは異なる釣場、水深、天気、気候及び時間に応じて簡単に製品を取り出し、即時に釣りを行うことができる。これによって、ボックスに収納されている製品の形状、色などの特徴が識別し難いという問題を解決することができる。例えば、スピナーブレードが、コロラドブレード（Ｃｏｌｏｒａｄｏ  Ｂｌａｄｅ）なのか、ウイローリーフブレードなのか、インディアナブレード（Ｉｎｄｉａｎａ  Ｂｌａｄｅ）なのか、それとも綜合型なのか、白いものなのか、黒いものなのかといった問題を解決することができる。さらに、該固定マットの固定と取出しは便利で、コストも安い。取り出しが不便でコストが高く、Ｌ字状のスピナーフライ又はスピナーベイトルアーの１本フックが固定マットから弾き出されるといった従来技術に存在する問題を解決することができる。
【００６７】
もう１つの変形例に示されるように、成形溝２のカッティングスリット４から離れた一端又はその近傍には、成形溝２の縦方向での延在方向と交差する方向に沿って延在する交差抵抗低減スリットがさらに設けられて良く、該交差抵抗低減スリットは、本体１の厚み方向に沿って本体１を貫通する。成形溝２の両端に、抵抗低減スリットがともに設けられていることにより、サイズの異なる各種のフライ又はベイトを固定できるようになり、特にチューブフライを固定することができる。
【００６８】
これらの上記変形例は、現在多くの特別なフライ又はベイトの固定に用いることができる。これらの特別なフライ又はベイトは形状が特殊（Ｒ字状、Ｌ字状など）でブレード又は類似部品を有するため、従来の固定マットで完全に固定するには困難があり、運送途中で揺れて破損する問題がよく起こる。また、これらの製品は異なるタイプが多くあり、異なる種類の環境及び魚種に適用するために、各タイプは異なる色及び形状のブレードを有している。従来の固定マットでは、使用者が下に隠されているブレードを直観的に見ることも、識別することもできないことが良くある。上記実施例及び変形例による固定マットでは、ブレード又は類似部品を固定マット表面のカッティングスリットに挿入すれば、ブレード又は類似部品を固定できるだけでなく、ブレードが一目瞭然でわかり、使用者は製品を便利に取り出して即時に釣りを行えるようになる。
【００６９】
以下、図１１と１２を参照して本発明のもう１つの実施例を説明する。該実施例は比較的に、複数のフック先を有するフライ又は典型的なベイトの固定に適する。該実施例において、固定マット１には、１個又は複数の互いに間隔を置いたほぼ閉鎖の成形溝５２が設けられている。図１１に示される成形溝５２は矩形状であるが、他の適当な形状であっても良い。成形溝５２の縁部は、直線状、千鳥状、波状又は他の適当な形状であって良い。各成形溝５２の一端には、フライ又はベイトの頭部又は尾部に位置して複数のフック先を有するフック部を収納するためのフック溝５５が設けられている。フック溝５５のサイズは、フック部が固定マットの表面から露出せず完全に収納されるように設計され、かつ固定や取出しがされ易いことを原則とする。フック溝５５は、フック部に適する各種の形状に形成されて良く、例えば、矩形状、楕円状、半球状、方形状などであって良い。成形溝５２及びフック溝５５は、本体１の厚み方向に沿って本体１を貫通する。図１２に示されるように、該固定マットによって固定を行う場合、先ず典型的なベイト３０の一端のフック部３０１のフック先をフック溝５５に合わせ、引き入れて固定する。その後、通常ベイト３０のボディを成形溝５２に圧入する。
【００７０】
図１１に示されるように、成形溝５２と、対応するフック溝５５との間には、横断面面積が対応するフック溝５５よりも小さい仕切り溝５４が設けられている。このようにして、フック溝５５に収納されているフック部がフック溝５５から脱落することを避けることができる一方、仕切り溝５４は、フック柄（例えば、図１２に示されるフック柄３０２）の収納又はチューブフライの保持にも用いられる。少なくともフック柄の一部を収納する、又はチューブフライを保持するために、仕切り溝５４は矩形状、Ｖ字状、千鳥状、波状などの適当な形状であって良い。成形溝５２の他端には、成形溝５２の縦方向での延在方向と交差する抵抗低減スリット５６がさらに設けられて良く、該抵抗低減スリット５６は、本体１の厚み方向に沿って本体１を貫通する。このようにして、ベイトの本体を成形溝５２に挿入する際の抵抗を低減することができる。ベイトは形状やサイズが異なるが、ともに一定の長さと幅を有するため、ともに溝に圧入されて固定を行うことができる。幅の大きいベイトが溝に圧入されると、カッティングスリットは開いてベイトに対して圧力をかけ、これによってベイトを固定することができる。小さいベイトを固定する場合、固定マット本体の弾性により、ベイトの確実な固定が確保できる。
【００７１】
上述は、ベイトボディの圧水板（水中におけるベイトの深さ及び遊動の姿勢を制御するための部品であり、通常はベイトの頭部の下方に位置して、舌の形状になっていることが多い）の幅がベイトボディの幅より小さい、又は圧水板がない場合の固定方法である。通常ベイトの圧水板の幅がベイトボディの幅より大きい場合には、圧水板を直接に成形溝５２に固定してよく、このようにして、固定はより便利になり、かつベイトボディが明らかに固定マットより高くて露出するため、取出し易い。
【００７２】
明らかに、図１１に示される実施例は、スピナーフライ又はスピナーベイトルアー、及びスプーンフライ又はスプーンベイトルアーの固定にも用いられる。この場合、スピナーフライ又はスピナーベイトルアーの３本フックをフック溝５５と仕切り溝５４に入れかつ引き入れて固定してから、ボディを成形溝５２に入れ、その後にブレード又は類似部品を成形溝５２に挿入して固定する。スプーンフライ又はスプーンベイトルアーについては、同様な方法でフック部を固定した後、ブレード又は類似部品を成形溝に挿入して固定する。
【００７３】
また、上記固定において、さらにフライ又はベイトのブレードを抵抗低減スリット５６に挿入することもでき、これによって、一部の特別な構造のフライ又はベイトに適することができる。フック部がないチューブフライを固定する場合、フック溝５５を設置せずに成形溝５２及び抵抗低減スリット５６のみを設置すれば良い。このようにして、異なる管径のチューブフライを挿入、又は圧入することができる。
【００７４】
該技術案は、本分野において長期にわたって解決できなかった問題を解決することができる。多本フックを収納するフック溝を設けることによって、フック部全体が溝に収納され、これによって、１つ又は複数のフックが固定マットから露出して使用者に傷を付けるといった従来技術に存在する問題が発生することはない。また、カッティングスリットの設置により、ベイトの形状や大きさが異なる全てのベイトが、しっかりと固定できるようになる。
【００７５】
通常のベイトは、さらにその腹部（頸部）又は他端に１つ又は複数の２本フック又は３本フックを有するため、このような通常のベイトを固定するために、ベイトの腹部（頸部）に位置するフック部を収納するためのサイズ増大部５３を、成形溝５２の中部又は他端に設けて良い。図に示されるサイズ増大部は弧形状であるが、例えば、矩形状などでベイトに適する他の形状であっても良い。該サイズ増大部により、腹部又は頸部に位置するフックは円滑にサイズ増大部の下に収納されるようになり、同時にベイトの取出しも便利である。一部のイカフック（ｓｑｕｉｌｄ  ｊｉｇ）はその腹部又は頸部にフックがなく、或いは少数のベイトはその腹部（頸部）又は他端におけるフック部の幅が明らかにベイトボディの幅より小さいため、サイズ増大部がなくても、それを固定することができる。但し、サイズ増大部を備えるものは汎用性がより強く、イカフック、及びフック部の幅がベイトボディより小さいベイトにも適用する。サイズ増大部の設置により、ベイトの腹部又は頸部のフックが散在して手にも傷を付け易いという問題を解決することができる。
【００７６】
また、各成形溝５２のフック溝５５は、互いに連通して共用のフック収納部を構成して良い。このようにして、固定マットを型作りする際のコストを低減することができる。
【００７７】
また、特定形状のフライ又はベイトに適するために、上記実施例の特徴を組合わせても良い。例えば、図１に示される成形溝２のカッティングスリット４から離れた一端に、図１１に示されるフック溝５５と類似する溝を形成して、図１３と１４に示される２つの実施例を得ることができる。
【００７８】
図１３に示される固定マットは、溝及びカッティングスリットからなるユニットを複数備え、各ユニットはともに、上記で図１を参照して述べた成形溝２、カッティングスリット４、抵抗低減スリット４１、及び上記で図１１を参照して述べたフック溝５５を備える。成形溝２の一端は、開口してフック溝５５に連通するように設置されても良い。図１３の最右方のユニットに示されるように、複数のフック溝５５を互いに連通させて共用のフック収納部を構成して良い。図１３に示されるように、成形溝２の形状は、弧形状、弧形状と菱状の結合、弧形状とストリップ状の結合、矩形状と弧形状の結合、矩形状と矩形状の結合、楕円状、稜形状、ストリップ状、柳葉状、及び矩形状などの適当な形状であって良い。フック溝５５は、フック部に適する各種の形状に形成されて良く、例えば、矩形状、楕円状、半球状、方形状などである。図１３において、成形溝の中にはガイド部が設けられて良く、ガイド部の形状は、Ｖ字状、弧形状、矩形状であって良い。矩形状のガイド部は、ブレード又は類似アクセサリ及びフライやベイトのフック部がガイド部とカッティングスリットとを連結する箇所の上端から円滑にカッティングスリットに圧入されるように設置されている。ブレード又は類似アクセサリを成形溝に入れて矩形状端部のカッティングスリットへ圧し、又は推し、成形溝の予め位置決めの作用があるため、容易に固定を行うことができる。フライやベイトの固定方法は、上記方法３の通りである。
【００７９】
該固定マットは、上記各実施例で固定された各種のフライ及びベイトの固定に適するだけでなく、特にチューブフライ、３本フライ、３本フックが付いたスピナーフライやスピナーベイトルアーとスプーンフライやスプーンベイトルアー、１本フックの典型的なベイトの固定にも適する。通常のチューブフライについて、それを成形溝２に圧入、又は挿入して固定することができる。成形溝２とフック溝５５が連結する一端における開口により、異なるサイズのチューブフライはともに容易に挿入、又は圧入できるようになり、また成形溝２の他端におけるカッティングスリット４と抵抗低減スリット４１により、これらの異なるサイズのチューブフライはともにしっかりと固定できようになる。短い３本フライについて、フライの尾部を手に持って直接にフック溝５５と成形溝２との間の仕切り溝（図示せず）に固定し、又は３本フライを上から下へ押えて、毛の尾部を上向きに固定マット本体の上表面に固定することができる。長いチューブ状の３本フライについては、そのフックをフック溝に合わせて引き入れ、頭部を、成形溝２の上部における横断面面積が小さい成形溝部分に圧入することができる。スペナーベイトルアーのような３本フックが付いたベイトについては、３本フックをフック溝５５に固定してからブレードとベイトボディを同時に成形溝２に入れ、ブレード又は類似部品を成形溝２によってカッティングスリット４に挿入、又は圧入して固定することができる。また、３本フックをフック溝５５に固定してからベイトボディを成形溝に入れ、ブレード又は類似部品を成形溝２によってカッティングスリット４に挿入、又は圧入して固定することもできる。３本フックが付いたスプーンフライ又はスプーンベイトルアーについては、３本フックをフック溝５５に固定してから、ブレード又は類似部品を成形溝２によってカッティングスリット４に挿入、又は圧入して固定することができる。抵抗低減スリット４１、カッティングスリット４、成形溝２が設けられていることにより、厚みが異なる各種のブレード又は類似部品は円滑にカッティングスリット４に挿入、又は圧入して固定できるようになる。１本フックの通常のベイトについては、フックをカッティングスリット４に押し入れて通常ベイトボディを成形溝２に固定し、成形溝とフック溝が連通しているため、フック溝５５もガイド及び抵抗低減の作用を果す。上記は例として、一部のフライ又はベイトの固定のみを示すが、該固定マットは抵抗低減スリット４１、カッティングスリット４、成形溝２及びフック溝５５の共同作用により、チューブフライを含む各種のフライ及びベイトに適用することができ、良好な汎用性を有する。また、該固定マットは固定と取出しが便利で、コストも安い。
【００８０】
図１４に示される固定マットは、複数の成形溝組６、６’を備える。各成形溝組はともに、上記で図１を参照して述べた成形溝２、カッティングスリット４、抵抗低減スリット４１、及び上記で図１１を参照して述べたフック溝５５を備える。フック溝５５は、フック部に適する各種の形状に形成されて良く、例えば、矩形状、楕円状、半球状、方形状などである。成形溝２の一端は開口してフック溝５５に連通する。図１４に示されるように、各成形溝２に連通するフック溝５５は、互いに連通して共用のフック収納部を構成している。図において、成形溝２のカッティングスリット４に近い一端又はその近傍には、成形溝２の縦方向での延在方向（図の上下方向）と交差するもう１つのカッティングスリット４２がさらに設けられている。このカッティングスリット４２は抵抗低減スリット４１の作用と同じく、異なるサイズのチューブフライを成形溝２に挿入又は圧入し易くするために用いられる。図１４に示される固定マットは、図１３に示される固定マットと似た方式で、チューブフライを含む各種のフライ及びベイトを固定することができる。図１４において、成形溝の中にはガイド部が設けられて良く、ガイド部の形状として、Ｖ字状、弧形状、矩形状であって良い。矩形状のガイド部は、ブレード又は類似のアクセサリ及びフライやベイトのフック部がガイド部とカッティングスリットとを連結する箇所の上端から円滑にカッティングスリットに圧入されるように設置されている。ブレード又は類似アクセサリを成形溝に入れて矩形状端部のカッティングスリットへ圧し、又は推し、成形溝の予め位置決めの作用があるため、容易に固定を行うことができる。フライやベイトの固定方法は、上記方法３の通りである。
【００８１】
また、図１５に示されるように、同一の成形溝組６には、図１、８、９に示される成形溝２とカッティングスリット４からなるユニット６２、及び図１０に示される成形溝５２とフック溝５５からなるユニット６１を備えて良い。このようにして、同一の固定マットに上記各種のフライ又はベイトを固定することができる。また、ユニット６１とユニット６２を交互に設置する場合は、特にサンダーストライカーベイト（Ｔｈｕｎｄｅｒ  Ｓｔｒｉｋｅｒ  Ｂａｉｔｓ）という特別なベイトに適し、このベイトも３本フックとブレードを備え、門の形に近い。しかし、サンダーストライカーベイトは他のＬ字状のスピナーベイトルアーと異なり、その一端には１本フックの代わりに３本フックを有している。このようなベイトは、１つのユニット６１又は６２によって固定できない可能性があるが、図１５に示される固定マットによって固定することができる。先ず、３本フックをフック溝５５に合わせて引き入れ、フックをユニット６１のフック溝５５の縁部に固定してから、ベイトボディを該フック溝５５に連結する成形溝５２に固定し、その後にブレードを隣のユニット６２の成形溝２又はカッティングスリット４に挿入する。当然、図１５に示されるユニット６２は、図９に示される２つの成形溝が付いたユニット形式を採用して良く、かつ複数のユニット６１のフック溝５５は、図１４に示されるように互いに連通して共用のフック収納部を構成しても良い。また、上記ユニット６２を、図１３に示される成形溝２、カッティングスリット４、抵抗低減スリット４１及びフック溝５５からなるユニットで差し替えても良い。
【００８２】
上記は例として、本発明の一部の実施例のみを説明する。当業者が本発明に基づいて容易に想到できる代替案は、いずれも本発明の保護範囲に入ることになる。
【図１】
2010528633.tif 000003
【図２】
2010528633.tif 000004
【図３】
2010528633.tif 000005
【図４】
2010528633.tif 000006
【図５】
2010528633.tif 000007
【図６】
2010528633.tif 000008
【図７】
2010528633.tif 000009
【図８】
2010528633.tif 000010
【図９】
2010528633.tif 000011
【図１０】
2010528633.tif 000012
【図１１】
2010528633.tif 000013
【図１２】
2010528633.tif 000014
【図１３】
2010528633.tif 000015
【図１４】
2010528633.tif 000016
【図１５】
2010528633.tif 000017
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
フライ又はベイト用の固定マットであって、発泡材により製造された固定マット本体と、上記本体に設けられる１個又は互いに間隔を置いた複数の成形溝とを備える固定マットにおいて、
上記成形溝は、上記本体の厚み方向に沿って上記本体を貫通し、上記成形溝の一端又はその近傍には、上記成形溝の縦方向での延在方向と交差する方向に沿って延在する抵抗低減スリットが設けられており、上記抵抗低減スリットが上記本体の厚み方向に沿って上記本体を貫通することを特徴とする固定マット。
【請求項２】
フライ又はベイト用の固定マットであって、発泡材により製造された固定マット本体と、上記本体に設けられる１個又は互いに間隔を置いた複数の成形溝とを備える固定マットにおいて、
上記成形溝は、上記本体の厚み方向に沿って上記本体を貫通し、上記各成形溝の一端又は両端には、上記本体の厚み方向に沿って上記本体を貫通するカッティングスリットが連結されており、上記本体には、上記本体の厚み方向に沿って上記本体を貫通して上記カッティングスリットと交差する抵抗低減スリットがさらに設けられていることを特徴とする固定マット。
【請求項３】
請求項２に記載のフライ又はベイト用の固定マットにおいて、上記成形溝の一端又はその近傍には、上記成形溝の縦方向での延在方向と交差する方向に沿って延在する抵抗低減スリットが設けられており、上記抵抗低減スリットが上記本体の厚み方向に沿って上記本体を貫通することを特徴とする固定マット。
【請求項４】
請求項１〜３のいずれか１項に記載のフライ又はベイト用の固定マットにおいて、上記成形溝に対応して設けられる１個又は互いに間隔を置いた複数の付加成形溝をさらに備え、上記付加成形溝の一端は１つの中間カッティングスリットによって上記成形溝に連結されているとともに、他端にはもう１つのカッティングスリットが連結されており、上記付加成形溝及びカッティングスリットは、ともに上記本体の厚み方向に沿って上記本体を貫通することを特徴とする固定マット。
【請求項５】
請求項２又は３に記載のフライ又はベイト用の固定マットにおいて、Ｒ字状又はＬ字状のスピナーベイトルアーの固定に用いるように、１つの上記成形溝に連結されるカッティングスリットと、もう１つの上記成形溝に連結されるカッティングスリットとを反対向きにすることを特徴とする固定マット。
【請求項６】
請求項１〜３のいずれか１項に記載のフライ又はベイト用の固定マットにおいて、ベイトの腹部又は頚部近傍のフック部を収納する、又はフライやベイトを取り出し易くするために、上記成形溝はサイズ増大部を備えることを特徴とする固定マット。
【請求項７】
請求項１〜３のいずれか１項に記載のフライ又はベイト用の固定マットにおいて、一端にカッティングスリット又は抵抗低減スリットが連結される上記成形溝の他端で開口し、上記成形溝は、カッティングスリット又は抵抗低減スリットが連結される一端に位置する横断面面積の小さい成形溝部分と、開口する他端に位置する横断面面積の大きい成形溝部分を含むことを特徴とする固定マット。
【請求項８】
請求項１〜３のいずれか１項に記載のフライ又はベイト用の固定マットにおいて、一端にカッティングスリット又は抵抗低減スリットが連結される上記成形溝の他端で開口し、かつフック部を収納するためのフック溝に連通させていることを特徴とする固定マット。
【請求項９】
請求項８に記載のフライ又はベイト用の固定マットにおいて、上記フック溝の横断面面積は上記成形溝の横断面面積よりも大きいことを特徴とする固定マット。
【請求項１０】
請求項８に記載のフライ又はベイト用の固定マットにおいて、上記各成形溝と、対応するフック溝との間は仕切り溝によってそれぞれ連通されており、上記仕切り溝の横断面面積が、対応するフック溝の横断面面積よりも小さいことを特徴とする固定マット。
【請求項１１】
請求項２又は３に記載のフライ又はベイト用の固定マットにおいて、上記成形溝と、それに連結するカッティングスリットとの間には、ガイド部が設けられており、上記ガイド部がＶ字状、弧形状又は矩形状であることを特徴とする固定マット。
【請求項１２】
請求項２又は３に記載のフライ又はベイト用の固定マットにおいて、１つのカッティングスリットによって連結される直列配置の２つの成形溝が設けられており、かつ上記２つの成形溝の連結していない端部には、上記本体の厚み方向に沿って上記本体を貫通する２つのカッティングスリットがそれぞれ設けられていることを特徴とする固定マット。
【請求項１３】
請求項２〜３、８、１１のいずれか１項に記載のフライ又はベイト用の固定マットにおいて、上記抵抗低減スリットは、上記カッティングスリットの上記成形溝から離れた一端又はその近傍に設けられていることを特徴とする固定マット。
【請求項１４】
請求項２〜３、８、１１のいずれか１項に記載のフライ又はベイト用の固定マットにおいて、上記抵抗低減スリット及びカッティングスリットは、Ｔ字状のカッティングスリット組、Ｙ字状のカッティングスリット組、十字状のカッティングスリット組又は矢印の形状のカッティングスリット組に組み合わされることを特徴とする固定マット。
【請求項１５】
請求項５に記載のフライ又はベイト用の固定マットにおいて、Ｒ字状又はＬ字状のスピナーベイトルアーを固定するための固定マットの厚みは、５ｍｍより大きいことを特徴とする固定マット。
【請求項１６】
請求項１〜３のいずれか１項に記載のフライ又はベイト用の固定マットにおいて、フライ又はベイトの位置決めや固定、フライ又はベイトのフック部の位置決めや、カッティングスリットへの加速押し入れ、又はチューブフライの固定、又はベイトボディの固定、又はベイトボディの圧水板の固定、又はスプーンブレードの位置決めや固定、又はスピナーフライ又はスピナーベイトルアーの一端の収納を行うために、互いに間隔を置いた各成形溝は、開口することを特徴とする固定マット。
【請求項１７】
請求項２〜３、８、１１のいずれか１項に記載のフライ又はベイト用の固定マットにおいて、上記本体の裏面、かつ上記成形溝及び上記カッティングスリットの外側には、接着剤又は両面テープが貼られていることを特徴とする固定マット。
【請求項１８】
請求項１〜３、８、１１のいずれか１項に記載のフライ又はベイト用の固定マットにおいて、上記成形溝は、その一端で開口することを特徴とする固定マット。
【請求項１９】
請求項８に記載のフライ又はベイト用の固定マットにおいて、複数の上記成形溝の上記フック溝は、互いに連通して共用のフック溝を構成していることを特徴とする固定マット。
【請求項２０】
上記請求項のいずれか１項に記載のフライ又はベイト用の固定マットに、フライ又はベイトを固定する方法であって、
使用者は、フック先が下方に位置しかつカッティングスリットの方向に向くようにフライ又はベイトを手に持ち、フック先を固定マット本体の下方に位置させるように成形溝に入れ、その勢いでフライ又はベイトをカッティングスリットに引き入れれば、固定することができ、或いは引き入れなくても固定することができるフライ又はベイトの固定方法であり、
ブレード又はリングにて連結されるブレードを他端に有するフライ又はベイトの固定方法については、
Ｒ字状のスピナーベイトルアーのフックを１つの上記カッティングスリットに押し入れて、Ｒ字状のスピナーベイトルアーの他端のスピナーブレードをもう１つの上記カッティングスリットに挿入又は圧入する、Ｒ字状のスピナーベイトルアーの固定方法（ａ）、及び
スプーンベイトルアーのフックを１つの上記カッティングスリットに押し入れて、スプーンベイトルアーのブレードをもう１つの上記カッティングスリットに挿入又は圧入する、スプーンベイトルアーの固定方法（ｂ）を含み、
多本フックのフライ又はベイトを固定する固定方法については、
フック部をフック溝、仕切り溝、又はフック溝、成形溝に合わせ、引き入れて固定し、かつ
上記フライ又はベイトのボディを成形溝に圧入して固定する、又は上記ベイトボディの頭部の圧水板を成形溝に圧入して固定する、又は上記スピナーベイトルアーや、スプーンベイトルアーのブレードを、成形溝又はカッティングスリットに圧入して固定し、
或いは、チューブフライの一端を成形溝に圧入して固定し、
チューブフライの固定方法については、
チューブフライを、開口する、抵抗低減スリット又はカッティングスリットが付いた成形溝に圧入して固定する方法。
【請求項２１】
フライ又はベイト用の固定マットであって、発泡材により製造された固定マット本体と、上記本体に設けられる１個又は互いに間隔を置いた複数の成形溝とを備える固定マットにおいて、
上記成形溝は、上記本体の厚み方向に沿って上記本体を貫通し、上記各成形溝の両端には、上記本体の厚み方向に沿って上記本体を貫通するカッティングスリットが連結されていることを特徴とする固定マット。
【請求項２２】
請求項２１に記載のフライ又はベイト用の固定マットにおいて、２つの上記成形溝は、その端部の上記カッティングスリットによって連結して直列配置の２つの上記成形溝を形成することを特徴とする固定マット。
【請求項２３】
請求項２１又は２２に記載のフライ又はベイト用の固定マットにおいて、上記カッティングスリットには、抵抗低減スリットが設けられていることを特徴とする固定マット。
【請求項２４】
フライ又はベイト用の固定マットであって、発泡材により製造された固定マット本体と、上記本体に設けられる１個又は互いに間隔を置いた複数の成形溝とを備える固定マットにおいて、上記成形溝は、その一端にカッティングスリット又は抵抗低減スリットが連結されており、他端で開口することを特徴とする固定マット。
【請求項２５】
請求項２４に記載のフライ又はベイト用の固定マットにおいて、上記抵抗低減スリットは、上記成形溝の縦方向での延在方向と交差する方向に沿って延在することを特徴とする固定マット。
【請求項２６】
請求項２４に記載のフライ又はベイト用の固定マットにおいて、上記カッティングスリットには、抵抗低減スリットが設けられていることを特徴とする固定マット。
【請求項２７】
請求項２６に記載のフライ又はベイト用の固定マットにおいて、上記抵抗低減スリット及びカッティングスリットは、Ｔ字状カッティングスリット組、Ｙ字状カッティングスリット組、十字状カッティングスリット組又は矢印の形状のカッティングスリット組に組み合わされることを特徴とする固定マット。
【国際調査報告】
2010528633.tif 000018
2010528633.tif 000019
2010528633.tif 000020
2010528633.tif 000021
2010528633.tif 000022
2010528633.tif 000023